(57)【要約】【課題】アルバム作成に必要な画像を過不足なく効率的に撮影する。【解決手段】撮影支援ＰＣ１の撮影指示情報取得部１２が、アルバムに含められる複数の画像の撮影順序Seqと、それら複数の画像の各々の内容を表す複数の撮影指示画像Spn（n=1、2、・・・、N）とを含む撮影指示情報を取得しておき、撮影者によるカメラ２を用いた撮影が行われる毎に、撮影支援ＰＣ１の表示制御部１２が、取得された撮影順序Seqに基づいて、撮影指示画像Spnを順に切り替えて表示部３１に表示させる。【選択図】図２
2008252494.tif 000002
【特許請求の範囲】
【請求項１】
画像の撮影を行う撮影手段と、
アルバムに含められる複数の画像の撮影順序と、該複数の画像の各々の内容を表す複数の撮影指示画像とを含む撮影指示情報を取得する撮影指示情報取得手段と、
前記撮影手段による撮影が行われる毎に、取得された前記撮影指示情報に含まれる前記撮影順序に基づいて、前記撮影指示画像を順に切り替えて表示手段に表示させる表示制御手段とを備えたことを特徴とするアルバム作成のための撮影システム。
【請求項２】
前記撮影指示情報を、複数種類の前記撮影指示情報から選択するためのユーザインターフェースをさらに備え、
前記撮影指示情報取得手段が、該ユーザインターフェースで選択された前記撮影指示情報を取得するものであることを特徴とする請求項１記載の撮影システム。
【請求項３】
前記表示制御手段が、
前記撮影手段による撮影が行われる毎に、該撮影で得られた撮影画像に対して画像解析を行い、該撮影画像が前記表示手段に表示された前記撮影指示画像の内容に適合するかどうかを判定する判定部と、
該判定部によって該撮影画像が前記撮影指示画像の内容に適合しないと判定された場合に、再撮影を促す通知を行う通知部と、
該判定部によって該撮影画像が前記撮影指示画像の内容に適合すると判定された場合に、前記撮影順序に基づいて、前記撮影指示画像を切り替えて前記表示手段に表示させる切替制御部とを備えたものであることを特徴とする請求項１または２に記載の撮影システム。
【請求項４】
前記表示制御手段が、
前記撮影手段による撮影が行われる毎に、該撮影で得られた撮影画像に対して画像解析を行い、該撮影画像全体が前記表示手段に表示された前記撮影指示画像の内容に適合するかどうかを判定する全体判定部と、
該全体判定部によって該撮影画像が前記撮影指示画像の内容に適合しないと判定された場合に、前記撮影画像の一部が前記撮影指示画像の内容に適合するかどうかを判定する部分判定部と、
該部分判定部によって該撮影画像の一部が前記撮影指示画像の内容に適合しないと判定された場合に、再撮影を促す通知を行う通知部と、
前記全体判定部によって該撮影画像全体が前記撮影指示画像の内容に適合すると判定された場合、または、前記部分判定部によって該撮影画像の一部が前記撮影指示画像の内容に適合すると判定された場合、前記撮影順序に基づいて、前記撮影指示画像を切り替えて前記表示手段に表示させる切替制御部とを備えたものであることを特徴とする請求項１または２に記載の撮影システム。
【請求項５】
アルバムに含められる複数の画像の撮影順序と、該複数の画像の各々の内容を表す複数の撮影指示画像とを含む撮影指示情報を取得する撮影指示情報取得手段と、
撮影手段による撮影が行われたことを検出する撮影検出手段と、
該撮影検出手段によって撮影が行われたことが検出される毎に、取得された前記撮影指示情報に含まれる前記撮影順序に基づいて、前記撮影指示画像を順に切り替えて表示手段に表示させる表示制御手段とを備えたことを特徴とするアルバム作成のための撮影支援装置。
【請求項６】
画像の撮影を行う撮影手段と、
複数の画像の各々が挿入されるアルバム中の領域を表す複数の画像挿入領域と、該画像挿入領域の各々に挿入すべき画像の撮影順序と、該複数の画像の各々の内容を表す複数の撮影指示画像とを含むテンプレート中の、少なくとも前記撮影順序および前記撮影指示画像を含む撮影指示情報を取得する撮影指示情報取得手段と、
前記撮影手段による撮影が行われる毎に、取得された前記撮影指示情報に含まれる前記撮影順序に基づいて、前記撮影指示画像を順に切り替えて表示手段に表示させる表示制御手段と、
前記撮影手段による撮影で得られた撮影画像を、該撮影の直前に前記表示手段に表示されていた前記撮影指示画像と対応する前記画像挿入領域が特定できるように記録する画像記録手段と、
該画像記録手段によって記録された前記撮影画像を、該撮影画像から特定される前記画像挿入領域に挿入することによって、アルバムを作成するアルバム作成手段とを備えたことを特徴とするアルバム作成システム。
【請求項７】
前記テンプレートを複数の前記テンプレートから選択するためのユーザインターフェースをさらに備え、
前記撮影指示情報取得手段が、選択された前記テンプレート中の前記撮影指示情報を取得するものであることを特徴とする請求項６記載のアルバム作成システム。
【請求項８】
アルバムに含められる複数の画像の撮影順序と、該複数の画像の各々の内容を表す複数の撮影指示画像とを含む撮影指示情報を取得し、
撮影手段による撮影が行われたことを検出し、
該検出がされる毎に、取得された前記撮影指示情報に含まれる前記撮影順序に基づいて、前記撮影指示画像を順に切り替えて表示手段に表示させることを特徴とするアルバム作成のための撮影支援方法。
【請求項９】
複数の画像が挿入されるアルバム中の領域を表す複数の画像挿入領域と、該画像挿入領域の各々に挿入すべき画像の撮影順序と、該複数の画像の各々の内容を表す撮影指示画像とを含むテンプレート中の、少なくとも前記撮影順序および前記撮影指示画像を含む撮影指示情報を取得し、
撮影手段による撮影が行われる毎に、取得された前記撮影指示情報に含まれる前記撮影順序に基づいて、前記撮影指示画像を順に切り替えて表示手段に表示させ、
前記撮影手段による撮影で得られた撮影画像を、該撮影の直前に前記表示手段に表示されていた前記撮影指示画像と対応する前記画像挿入領域が特定できるように記録し、
記録された前記撮影画像を、該撮影画像から特定される前記画像挿入領域に挿入することによって、アルバムを作成することを特徴とするアルバム作成方法。
【請求項１０】
コンピュータに、
アルバムに含められる複数の画像の撮影順序と、該複数の画像の各々の内容を表す複数の撮影指示画像とを含む撮影指示情報を取得する処理と、
撮影手段による撮影が行われたことを検出する処理と、
該検出がされる毎に、取得された前記撮影指示情報に含まれる前記撮影順序に基づいて、前記撮影指示画像を順に切り替えて表示手段に表示させる処理とを行わせることを特徴とするアルバム作成のための撮影支援プログラム。
【請求項１１】
コンピュータに、
複数の画像が挿入されるアルバム中の領域を表す複数の画像挿入領域と、該画像挿入領域の各々に挿入すべき画像の撮影順序と、該複数の画像の内容を表す撮影指示画像とを含むテンプレート中の、少なくとも前記撮影順序および前記撮影指示画像を含む撮影指示情報を取得する処理と、
撮影手段による撮影が行われる毎に、取得された前記撮影指示情報に含まれる前記撮影順序に基づいて、前記撮影指示画像を順に切り替えて表示手段に表示させる処理と、
前記撮影手段による撮影で得られた撮影画像を、該撮影の直前に前記表示手段に表示されていた前記撮影指示画像と対応する前記画像挿入領域が特定できるように記録する処理と、
記録された前記撮影画像を、該撮影画像から特定される前記画像挿入領域に挿入することによって、アルバムを作成する処理を実行させることを特徴とするアルバム作成プログラム。
【発明の詳細な説明】
【技術分野】
【０００１】
本発明は、アルバム作成のための撮影を支援する装置、ならびにそれを含む撮影システム、ならびにアルバム作成システム、および、これらの装置やシステムによって実現される方法、これらの方法をコンピュータに実行させるプログラムに関するものである。
【背景技術】
【０００２】
コンピュータを用いて、デジタルカメラによる撮影で得られた画像データや、撮影済の写真フイルムをフイルムスキャナで読み取ることによって得られた画像データを入力として、適宜画質調整・編集・加工処理を行い、処理済の画像を予め用意されたアルバムのテンプレートに挿入することによってアルバムを作成する方法が、一般ユーザ向けのソフトウェアや写真店等の専門オペレータ向けのソフトウェアによって実現されている。
【０００３】
この画質調整・編集・加工処理は、一般ユーザには難易度の高い面倒な作業となることが多く、また、写真店等の専門オペレータであっても、技術的な熟練度やデザインセンスによって仕上がりの品質にばらつきが出てしまう。
【０００４】
さらに、一般ユーザ・専門オペレータに共通の問題として、大量に撮影された画像の中からアルバムに挿入すべき画像を選択する作業に手間がかかることが挙げられる。
【０００５】
そこで、人物の向き（正面、横等）、被写体数、背景の内容（教会、海等）、被写体の色情報（輝度、明度、彩度等）等を表す状態指定情報が画像挿入領域の各々に付与されたテンプレートを用意し、ユーザによって指定された画像挿入領域に付与された状態指定情報に適合する画像を自動的に選択し、選択された画像をその画像挿入領域に挿入する画像編集装置や、被写体数、被写体の色、拡大率、余白サイズ、トリミング位置等の構図情報が画像挿入領域の各々に付加されたテンプレートを用意し、オペレータによって選択された画像に対して構図情報に基づく自動編集加工処理を行った後、処理済の画像を画像挿入領域に挿入する画像編集装置が提案されており、この装置を用いてアルバムを作成することによって、品質のばらつきが減少するとともに、作業の効率化が図られる（例えば、特許文献１、２）
一方、撮影すべき被写体や撮影項目等の撮影内容を指示する情報をリストアップした撮影リストをインターネット等からダウンロードし、撮影の際に、その撮影リストから所望の項目を選択して撮影内容を確認できるようにした撮像装置が提案されており、撮影の段階で、アルバムの作成により適切な画像が得られるようにすることにより、作業の効率化が図られる。（例えば、特許文献３、４、５）。
【特許文献１】特開２００５−１８２７６７号公報
【特許文献２】特開２００５−２１０６８９号公報
【特許文献３】特開２００４−１９３８１４号公報
【特許文献４】特開２００４−１９３８３６号公報
【特許文献５】特開２００４−１９３８３７号公報
【発明の開示】
【発明が解決しようとする課題】
【０００６】
しかしながら、特許文献１、２記載の画像編集装置では、撮影段階でアルバムに挿入される画像の撮り忘れがあったり、手ぶれやピンボケ等の撮影ミスがあったりすると、状態指定情報に適合する画像が選択できなかったり、適切な構図が切り出せなかったりする可能性がある。また、特許文献１記載の画像編集装置では、大量に撮影された画像の中からアルバムに挿入すべき画像を選択する作業の手間は変わらない。
【０００７】
一方、特許文献３、４、５記載の撮影装置では、撮影リストの各項目が文字情報のため、直感的でなく、例えば結婚披露宴のケーキカットの瞬間のようなやり直しのできない撮影タイミングでの撮影内容であれば、撮影内容を把握している間にシャッターチャンスを逃してしまう可能性がある。また、撮影者が撮影リストの一覧から撮影したい項目を選択して撮影を行うので、例えば、結婚式や披露宴のように決められたタイムテーブルに沿って進行する状況での撮影の場合、撮影者が撮影順序を考慮しながら撮影リストからの項目選択を行う必要があり、撮影リスト項目の見落とし等により、撮影リスト項目に対応する場面が既に終わってしまうと、その場面は撮影漏れとなり、アルバムに挿入すべき画像に欠落が生じてしまう。
【０００８】
本発明は、上記事情に鑑みてなされたものであり、アルバム作成に必要な画像を過不足なく効率的に撮影することを実現する撮影システム、ならびに撮影支援装置、方法、およびプログラム、ならびに、このように撮影された画像を用いてアルバムを作成するシステム、方法、およびプログラムを提供することを目的とする。
【課題を解決するための手段】
【０００９】
本発明のアルバム作成のための撮影システムは、画像の撮影を行う撮影手段と、アルバムに含められる複数の画像の撮影順序と、それら複数の画像の各々の内容を表す複数の撮影指示画像とを含む撮影指示情報を取得する撮影指示情報取得手段と、撮影手段による撮影が行われる毎に、取得された撮影指示情報に含まれる撮影順序に基づいて、撮影指示画像を順に切り替えて表示手段に表示させる表示制御手段とを設けたことを特徴とする。
【００１０】
本発明の撮影支援装置は、上記の撮影システムの一部であり、撮影手段による撮影を支援するものである。すなわち、アルバムに含められる複数の画像の撮影順序と、それら複数の画像の各々の内容を表す複数の撮影指示画像とを含む撮影指示情報を取得する撮影指示情報取得手段と、撮影手段による撮影が行われたことを検出する撮影検出手段と、撮影検出手段によって撮影が行われたことが検出される毎に、取得された撮影指示情報に含まれる撮影順序に基づいて、撮影指示画像を順に切り替えて表示手段に表示させる表示制御手段とを設けたことを特徴とする。
【００１１】
本発明の撮影支援方法は、アルバムに含められる複数の画像の撮影順序と、それら複数の画像の各々の内容を表す複数の撮影指示画像とを含む撮影指示情報を取得し、撮影手段による撮影が行われたことを検出し、検出される毎に、取得された撮影指示情報に含まれる撮影順序に基づいて、撮影指示画像を順に切り替えて表示手段に表示させることを特徴とする。
【００１２】
本発明の撮影支援プログラムは、コンピュータに上記撮影支援方法を実行させるものである。
【００１３】
本発明のアルバム作成システムは、上記の撮影システムによって得られた画像を用いてアルバムを自動的に作成するものである。すなわち、画像の撮影を行う撮影手段と、複数の画像の各々が挿入されるアルバム中の領域を表す複数の画像挿入領域と、画像挿入領域の各々に挿入すべき画像の撮影順序と、それら複数の画像の各々の内容を表す複数の撮影指示画像とを含むテンプレート中の、少なくとも撮影順序および撮影指示画像を含む撮影指示情報を取得する撮影指示情報取得手段と、撮影手段による撮影が行われる毎に、取得された撮影指示情報に含まれる撮影順序に基づいて、撮影指示画像を順に切り替えて表示手段に表示させる表示制御手段と、撮影手段による撮影で得られた撮影画像を、撮影の直前に表示手段に表示されていた撮影指示画像と対応する画像挿入領域が特定できるように記録する画像記録手段と、画像記録手段によって記録された撮影画像を、撮影画像から特定される画像挿入領域に挿入することによって、アルバムを作成するアルバム作成手段とを設けたことを特徴とする。
【００１４】
本発明のアルバム作成方法は、複数の画像が挿入されるアルバム中の領域を表す複数の画像挿入領域と、画像挿入領域の各々に挿入すべき画像の撮影順序と、それら複数の画像の各々の内容を表す撮影指示画像とを含むテンプレート中の、少なくとも撮影順序および撮影指示画像を含む撮影指示情報を取得し、撮影手段による撮影が行われる毎に、取得された撮影指示情報に含まれる撮影順序に基づいて、撮影指示画像を順に切り替えて表示手段に表示させ、撮影手段による撮影で得られた撮影画像を、撮影の直前に表示手段に表示されていた撮影指示画像と対応する画像挿入領域が特定できるように記録し、記録された撮影画像を、撮影画像から特定される画像挿入領域に挿入することによって、アルバムを作成することを特徴とする。
【００１５】
本発明のアルバム作成プログラムは、コンピュータに上記アルバム作成方法を実行させるものである。
【００１６】
次に本発明の詳細について説明する。
【００１７】
本発明における「アルバム」は、所定のテーマやイベントに沿ったストーリー性を有するものであり、どのような内容の画像がそのアルバムに含められるべきであるかが予め決められているものである。具体例としては、結婚式や披露宴を記録したウェディングアルバムや、特定のコースを辿る旅行のアルバム等が挙げられる。なお。本発明において、アルバムは、パーソナルコンピュータ等のディスプレイに表示して鑑賞する電子アルバムであってもよいし、台紙等に画像が貼り付けられた状態でプリント出力されたアルバムであってもよい。
【００１８】
このようなアルバムでは、画像のレイアウトや内容を表すテンプレートを予め用意しておくことができる。このテンプレートには、アルバム中の画像が挿入される領域の位置や大きさを特定可能な画像挿入領域や、画像挿入領域に挿入される画像の内容を表す情報が含まれるが、本発明では、この画像の内容を表す情報を視覚化して撮影指示画像とし、さらに、各画像挿入領域に挿入される画像の撮影順序もテンプレートに含めるようにしている。
【００１９】
ここで、「撮影指示画像」は、アルバムに含められる複数の画像の各々の内容を表すもの、すなわち、撮影すべき複数の画像の各々の内容を画像として表したものであり、その内容は、各画像の構図や画像中の被写体の状態等が表されたものである。具体例としては、画像に含まれる被写体の種類、画像中の被写体の位置・大きさ・数、複数の被写体が含まれる場合の被写体の位置関係、被写体である人物の目の開閉、顔の向き、姿勢、持ち物、肌等の粒状度、被写体の色、光の照射方向や強さ、それによる影の位置、濃度等が挙げられる。なお、撮影指示画像はこれらの具体例のすべてを含んでいる必要はなく、上記のうちの少なくとも１つ以上を含んでいればよい。また、撮影指示画像は、撮影内容が視覚化されたものであれば、モデルとなる人物等を実際に撮影して得られたものであってもよいし、イラスト等であってもよい。さらに、文字情報が補足的に付加されていてもよい。
【００２０】
また、「撮影順序」は、アルバムにおける画像の並び順、すなわち、テンプレート中の画像挿入領域の配置順序と一致していてもよいし、一致していなくてもよい。
【００２１】
さらに、アルバムの「テンプレート」には、画像挿入領域、撮影順序、撮影指示画像の他、各画像挿入領域に画像を挿入する際に行う画像処理、編集、加工の内容を表す情報を含んでいてもよい。具体例としては、輝度、コントラスト、シャープネス、ホワイトバランス等の画質を調整する処理、白黒化やセピア化等の色変換、トリミング、撮影画像やテンプレートとの合成、テキストの付加等が挙げられる。
【００２２】
なお、複数の撮影画像を合成したものをアルバムに含める場合、それらの撮影画像が分離可能であれば画像挿入領域を分割し、各画像挿入領域に対して１つの撮影指示画像を対応させてもよいし、画像挿入領域を分割せずに、１つの画像挿入領域に対して複数の撮影指示画像を対応させ、その画像挿入領域に画像を挿入する際に行う複数の撮影画像の合成処理の内容を対応づけておいてもよい。複数の撮影画像に対して分離不可能な合成を行う場合には上記の後者の対応づけを行えばよい。
【００２３】
また、本発明では、テンプレート中の画像挿入領域毎に、その領域に挿入される画像の内容を表す撮影指示画像と、その撮影指示画像の撮影順番が対応づけられているので、「撮影画像を、その画像の撮影の直前に表示手段に表示されていた撮影指示画像と対応する画像挿入領域が特定できるように記録する」具体的方法は、撮影画像と撮影指示画像とを関連づけて記録する方法であってもよいし、撮影画像とその画像の撮影の直前に表示手段に表示されていた撮影指示画像の撮影順番とを関連づけて記録する方法であってもよいし、撮影画像とその画像の撮影の直前に表示手段に表示されていた撮影指示画像と対応する画像挿入領域とを関連づけて記録する方法であってもよい。
【００２４】
本発明において、アルバムに含められるべき画像の撮影・取得の際には、上記のテンプレートに含まれる情報のうち、画像挿入領域自体や挿入の際に行われる各種処理についての情報は不要であるから、本発明の「撮影指示情報」としては、上記のうちの撮影順序と撮影指示画像が含まれていればよい。
【００２５】
本発明において、上記のテンプレート／撮影指示情報を複数種類用意しておき、それらの中から１つを選択するためのユーザインターフェースを設け、そのユーザインターフェースで選択されたテンプレート／撮影指示情報を取得するようにしてもよい。この複数種類のテンプレート／撮影指示情報は、１つのテーマ・イベントに対して複数のパターンのものとすることが考えられる。
【００２６】
撮影が行われたことを検出する方法の具体例としては、撮影手段が撮影操作を受け付けた際に何らかの信号を発生させ、その信号を受け取ることによって検出することや、撮影によって得られた画像データを撮影手段が送信し、その画像データを受信することによって検出することが考えられる。また、撮影者等が撮影手段による撮影を行った後で、撮影指示画像の切替えを指示する操作を行うようにしてもよい。
【００２７】
また、撮影手段による撮影が行われる毎に、その撮影で得られた撮影画像に対して画像解析を行い、その撮影画像が表示手段に表示された撮影指示画像の内容に適合するかどうかを判定し、その撮影画像が撮影指示画像の内容に適合しないと判定された場合には、再撮影を促す通知を行い、その撮影画像が撮影指示画像の内容に適合すると判定された場合には、撮影指示情報中の撮影順序に基づいて、次の撮影指示画像に切り替えて表示手段に表示させるようにしてもよい。
【００２８】
あるいは、撮影手段による撮影が行われる毎に、その撮影で得られた撮影画像に対して画像解析を行い、その撮影画像全体が表示手段に表示された撮影指示画像の内容に適合するかどうかを判定し、その撮影画像が撮影指示画像の内容に適合しないと判定された場合に、その撮影画像の一部が撮影指示画像の内容に適合するかどうかを判定し、その撮影画像の一部も撮影指示画像の内容に適合しないと判定された場合には、再撮影を促す通知を行い、その撮影画像全体が撮影指示画像の内容に適合すると判定された場合、または、その撮影画像の一部が撮影指示画像の内容に適合すると判定された場合には、撮影指示情報中の撮影順序に基づいて、次の撮影指示画像に切り替えて表示手段に表示させるようにしてもよい。
【００２９】
ここで、画像解析、および、撮影画像が撮影指示画像の内容に適合するかどうかの判定は、肌色等の特定の色の領域の検出、機械学習によって得られる判別器や統計モデル、テンプレートマッチング等を用いた顔等の特定のオブジェクトの検出等の、本発明の実施時点における公知の手法を用いればよい。また、判定の際、撮影指示画像との適合性だけでなく、手ぶれやピンボケ等による失敗写真に該当するかどうかも判定するようにしてもよい。
【００３０】
再撮影を促す通知は、警告灯等の光や警告メッセージ画面等の視覚的な方法や、警告音や警告メッセージ音声等の聴覚的な方法や、振動を用いた方法等が考えられる。
【００３１】
なお、撮影画像の全体または一部が撮影指示画像の内容に適合しないと判定された場合、その撮影画像を自動的に削除したり、その撮影画像に不適合の旨や削除対象の旨を表す情報を関連づけて記録するようにしたりしてもよい。
【００３２】
また、撮影画像の一部が撮影指示画像の内容に適合すると判定された場合には、その一部のみを切り取った画像を記録するようにしてもよいし、その一部の領域の位置や大きさを特定する情報をその画像全体と関連づけて記録するようにしてもよい。さらに、その一部の領域を拡大して画像挿入領域に挿入する必要がある場合には、その拡大倍率もあわせて記録するようにしてもよい。
【発明の効果】
【００３３】
本発明によれば、アルバムに含められる複数の画像の撮影順序と、それら複数の画像の各々の内容を表す複数の撮影指示画像とを含む撮影指示情報を取得しておき、撮影手段による撮影が行われる毎に、取得された撮影指示情報に含まれる撮影順序に基づいて、撮影指示画像を順に切り替えて表示手段に表示させるので、撮影者は、少なくとも撮影の直前に次に撮影すべき画像の内容を知ることができ、その結果、アルバムに含められない不要な画像を撮影することがなくなるとともに、アルバムに必要な画像を撮影し忘れることもなくなる。また、撮影者はアルバムに含められる画像のすべての内容や撮影の順序を常に意識する必要もなくなる。このように、本発明によれば、アルバム作成に必要な画像を過不足なく効率的に撮影することができるので、撮影時間が短縮による撮影工程の効率化が図られるとともに、撮影者が撮影内容や撮影順序を意識しておくことによる精神的負担も軽減される。
【００３４】
また、撮影指示内容を画像として表示するので、撮影内容を視覚的・直感的に把握することができ、撮影指示内容に応じた撮影におけるシャッターチャンスを逃してしまうような事態も回避できる。
【００３５】
さらに、上記のように撮影指示画像に応じた撮影によって得られた撮影画像を、撮影の直前に表示手段に表示されていた撮影指示画像と対応する画像挿入領域が特定できるように記録し、記録された撮影画像を、その撮影画像から特定される画像挿入領域に挿入することによって、アルバムを作成するようにすれば、各画像挿入領域に挿入すべき画像を複数の画像から選択する必要がなくなり、アルバム作成工程の効率化も図られる。
【００３６】
本発明において、アルバムのテンプレート／撮影指示情報を、複数のものの中から選択できるようにすれば、ユーザによるアルバムの選択の範囲が広がり、よりユーザの嗜好に合ったアルバムの作成のための画像の撮影が可能になる。
【００３７】
本発明において、撮影手段による撮影が行われる毎に、その撮影で得られた撮影画像に対して画像解析を行い、その撮影画像が表示手段に表示された撮影指示画像の内容に適合するかどうかを判定し、その撮影画像が撮影指示画像の内容に適合しないと判定された場合には再撮影を促す通知を行うようにすれば、撮影者はその通知に応じてその場で再撮影を行うことができるので、アルバム作成工程において挿入すべき適切な画像がない不都合が回避され、アルバムの品質や完成度の向上に資する。
【００３８】
また、この判定の際に、まず撮影画像全体が表示手段に表示された撮影指示画像の内容に適合するかどうかを判定し、その撮影画像が撮影指示画像の内容に適合しないと判定された場合には、その撮影画像の一部が撮影指示画像の内容に適合するかどうかを判定するようにすれば、撮影画像全体としては撮影指示画像の内容に適合していなくても、撮影画像の一部が撮影指示画像の内容に適合していれば再撮影を回避できるので、上記の不都合を回避しつつ、撮影工程の効率化も図られる。
【発明を実施するための最良の形態】
【００３９】
以下、図面を参照して本発明の実施形態について説明する。
【００４０】
図１は、本発明の第１の実施形態となる、アルバム作成のための撮影支援装置を含む撮影システムの構成を模式的に表したものである。図に示すように、この撮影システムは、この撮影支援装置が実装された撮影支援ＰＣ１とカメラ２が通信可能なように構成されている。
【００４１】
撮影支援ＰＣ１とカメラ２との間の通信は、Ｅｔｈｅｒｎｅｔ（登録商標）や、ＵＳＢ、IEＥＥ１３９４等のインターフェースを用いた有線接続によるものであっても、無線ＬＡＮやＩｒＤＡ（赤外線通信）等の無線通信によるものであってもよい。
【００４２】
撮影支援ＰＣ１は、キーボードやマウス等の入力デバイスやディスプレイを含む公知のパーソナルコンピュータであって、上記通信のためのインターフェースを備えたものである。この撮影支援ＰＣ１には、コンピュータを本発明の撮影支援装置として機能させるための各種プログラムが、ＣＤ−ＲＯＭ等のコンピュータが読取可能な記録媒体から、あるいは、インターネット等に接続された他のサイトからダウンロードされ、インストールされている。
【００４３】
カメラ２は、公知のデジタルカメラまたは銀塩カメラに上記通信のためのインターフェースが付加されたものである。また、撮影支援ＰＣ１との通信は、このカメラ２に組み込まれたプログラムによって実現される。
【００４４】
図２は、この撮影システムの構成を機能的側面から模式的に表したブロック図である。図に示すように、撮影支援ＰＣ１では、テンプレート選択受付部１１、撮影指示情報取得部１２、撮影信号受信部１３、表示制御部１４、表示部３１によって、本発明の撮影支援装置の機能が実現される。一方、カメラ２は、撮影部２１と撮影信号送信部２２とによって、本発明の撮影支援装置との連携がなされる。
【００４５】
まず、本実施形態におけるアルバムのテンプレート、撮影指示情報について説明する。図３（ａ）は、アルバムのテンプレートの一例である。図に示したように、１つのテンプレート（ＴM1）には、画像が挿入される複数の画像挿入領域（Ｒ1からＲ3）が含まれる。ここでは１つの画面（見開き１ページ）分のみを例示しているが、テンプレートには複数の画面（複数のページ）が含まれていてもよい。
【００４６】
各画像挿入領域（Ｒ1からＲ3）には、撮影指示画像（Sp1からSp3）が対応づけられている。撮影指示画像は、対応する画像挿入領域に挿入される画像の内容を表すものであり、図３（ｂ）の画像Sp1からSp3に例示したような、モデルを実際に撮影して得られたものやイラストであってもよいし、図４（ａ）の画像Sp1´に例示したような輪郭のみを簡略的にイラストで表したものであってもよいし、図４（ｂ）の画像Sp1″に例示したような、画像やイラストに説明テキストを付したものであってもよい。また、図５に例示したように、１つの画像挿入領域（Ｒ4）に複数の撮影指示画像（Sp4、Sp5）を対応づけてもよい。図５（ａ）は、画像挿入領域Ｒ4に挿入される画像の一例であり、この画像は図５（ｂ）の建物を表す画像Sp4と人物を表す画像Sp5が合成されたものである。この場合、画像挿入領域Ｒ4に撮影指示画像Sp4、Sp5が対応づけられている。
【００４７】
また、各撮影指示画像にはその画像の撮影の順番が付されている。なお、各撮影指示画像の撮影順序は、画像挿入領域の並び順と同じであってもよいし、異なっていてもよい。
【００４８】
図３（ｃ）は、画像挿入領域と撮影指示画像と撮影順序の対応づけ方法の一例を表したものである。図は、この対応づけをテーブルによって実現する例であり、対応する画像挿入領域を識別するＩＤ、撮影指示画像を識別するＩＤ、およびその撮影指示画像で表される画像の撮影順番が１つのエントリとして設定されている。この例では、図３（ａ）の画像挿入領域Ｒ1には撮影指示画像Sp1が対応し、この撮影指示画像Sp1で表される画像は３番目に撮影されるべきであることを示し、さらに、画像挿入領域Ｒ2には撮影指示画像Sp2で、撮影順序は１番目、画像挿入領域Ｒ3には撮影指示画像Sp3で、撮影順序は２番目という対応づけがなされている。なお、画像挿入領域の並ぶ順と撮影順が同じである場合には、撮影順序の項を省略し、画像挿入領域と撮影指示画像を対応づけて、画像挿入領域の並び順に配列しておけばよい。また、図５（ｃ）は、１つの画像挿入領域Ｒ4に複数の撮影指示画像Sp4、Sp5が対応づけられている場合のテーブルの設定内容であり、画像挿入領域Ｒ４に対して撮影指示画像Sp4、Sp5が対応づけられた２つのエントリがあり、撮影指示画像Sp4には撮影順序５番目、撮影指示画像Sp5には撮影順序４番目が各々対応づけられている。
【００４９】
なお、上記のテンプレートのデータ、すなわち、画像挿入領域、撮影指示画像、および撮影順序に関する情報は撮影支援ＰＣ１のハードディスクに記憶されている。
【００５０】
次に、図２に示した各構成要素について説明する。
【００５１】
テンプレート選択受付部１１は、複数のアルバムのテンプレートから１つのテンプレートの選択を行うためのユーザインターフェースである。具体例としては、複数のテンプレートの各々について、テンプレートの画像挿入領域に、対応する撮影指示画像を挿入したサンプルテンプレートを作成しておき、各サンプルテンプレートのサムネイル画像を撮影支援ＰＣ１のディスプレイに一覧表示し、サムネイル画像を右クリックすることによって表示されるメニューから「内容を表示」が選択されると、サンプルテンプレートの内容が切替表示され、サムネイル画像を右クリックすることによって表示されるメニューから「決定」が選択されると、そのテンプレートの選択が確定されるようなユーザインターフェースが考えられる。
【００５２】
撮影指示情報取得部１２は、入力されたテンプレートから撮影指示画像と各撮影指示画像の撮影順序の情報を取得する。具体的には、図３（ｂ）、図４、図５（ｂ）に示された撮影指示画像と図３（ｃ）、図５（ｃ）に示されたテーブルのうち撮影指示画像と撮影順序の対応づけ部分を取得する。なお、本実施形態では、テンプレート選択受付部１１と撮影指示情報取得部１２の処理により、撮影指示情報の選択が行われたことになる。
【００５３】
撮影部２１は、公知のカメラに相当する部分であり、例えばデジタルカメラを用いて実装した場合、撮影者によるシャッターボタンの全押しに応じて、予め調整・設定されたフォーカスレンズの位置、シャッター速度、絞り等の撮影条件で撮影動作が行われ、各種レンズを通過してＣＣＤ等の撮像素子の光電面に結像された被写体像がＡ／Ｄ変換器によってデジタル変換され、変換後のデジタル画像データに対して予め設定されたセットアップ条件に基づいてホワイトバランスやシャープネス等の画質を調整する処理が行われ、さらに圧縮処理が行われた後、記録媒体に記録される。
【００５４】
撮影信号送信部２２は、撮影部２１において、シャッターボタンの全押しが検出された際にタイミングジェネレータが発生させるタイミング信号を検出し、これを撮影信号Ｓとして、撮影支援ＰＣ１に送信する処理を行う通信インターフェースである。
【００５５】
撮影信号受信部１３は、カメラ２の撮影信号送信部２２から送られてきた撮影信号Ｓを受信し、表示制御部１４に送信する処理を行う通信インターフェースである。
【００５６】
表示制御部１４は、撮影指示画像と対応づけられた撮影順序を読み込み、撮影信号受信部１３からの撮影信号Ｓの受信に応じて、撮影指示画像を順次切り替えて表示部１５に表示させる制御を行う。
【００５７】
表示部３１は、読影支援ＰＣ１のディスプレイである。
【００５８】
次に、この撮影システムを利用してアルバム用の写真画像の撮影を行う場合の操作および処理の流れについて、図２のブロック図および図６のフローチャートを用いて説明する。
【００５９】
まず、被写体となる人物または撮影者等が、テンプレート選択受付部１１によって提供されるユーザインターフェースにおいて、複数のアルバムのテンプレートＴ1、Ｔ2、・・・、ＴMから所望のテンプレートＴM1を選択すると、テンプレート選択受付部１１が、選択されたテンプレートＴM1を識別するＩＤを撮影指示情報取得部１２に引き渡す(#1)。
【００６０】
撮影指示情報取得部１２は、選択されたテンプレートＴM1を識別するＩＤに基づき、テンプレートＴM1に含まれるＮ枚の撮影指示画像Sp1、Sp2、・・・、SpNおよび各画像の撮影順序を表すSeqを撮影指示情報として取得する(#2)。
【００６１】
ここで、表示制御部１４は、表示部３１に表示する画像の撮影順序を表す撮影順序カウンタｉを「1」に初期化し(#3)。撮影順序１番目の撮影指示画像（図３（ｃ）の例ではSp2）を取得し(#4)、表示部３１に表示させ(#5)、カメラ２からの撮影信号Ｓの受信待ち状態（#6; NO）に入る。
【００６２】
撮影者は、表示部３１に表示された撮影指示画像を確認し、カメラ２を用いてその構図や被写体の状態に適合するように撮影を行う(#11)。このとき、撮影部２１が撮影者によるシャッターボタンの全押し操作に応じて発生させたタイミング信号Ｓを、撮影信号送信部２２が撮影信号Ｓとして検出し、撮影支援ＰＣ１に送信する(#12)。
【００６３】
撮影支援ＰＣ１の撮影信号受信部１３は、カメラ２の撮影信号送信部２２から送信されてきた撮影信号Ｓを受信し、表示制御部１４に引き渡すと、表示制御部１４は、撮影信号の受信を検出し(#6; YES)、カウンタｉを+1加算し(#7)、撮影順序２番目の撮影指示画像を（図３（ｃ）の例ではSp1）を取得する(#7、NO〜#4)。
【００６４】
以下、上記と同様にして、撮影順序カウンタｉの値が撮影指示画像の枚数Ｎを超えるまで(#8; YES)、すなわち、すべての撮影指示画像の表示が終わるまで、カメラ１での撮影に応じて、撮影順序Seqに基づいて撮影指示画像Spnを順次切り替えながら表示部３１に表示させる動作を繰り返し行う。
【００６５】
このように本発明の第１の実施形態となる撮影システムでは、撮影支援ＰＣ１の撮影指示情報取得部１２が、アルバムに含められる複数の画像の撮影順序Seqと、それら複数の画像の各々の内容を表す複数の撮影指示画像Spn（n=1、2、・・・、N）とを含む撮影指示情報を取得しておき、撮影者によるカメラ２を用いた撮影操作に応じて撮影部２１による撮影処理が行われる毎に、撮影支援ＰＣ１の表示制御部１２が、撮影が行われた旨を表す撮影信号Ｓを撮影信号送信部２２、撮影信号受信部１３を経由して受信することによって、撮影が行われたことを検出し、取得された撮影順序Seqに基づいて、撮影指示画像Spnを順に切り替えて表示部３１に表示させるので、撮影者は、少なくとも撮影の直前に次に撮影すべき画像の内容を知ることができ、その結果、アルバムに含められない不要な画像を撮影することがなくなるとともに、アルバムに必要な画像を撮影し忘れることもなくなる。また、撮影者はアルバムに含められる画像のすべての内容や撮影の順序を常に意識する必要もなくなる。したがって、アルバム作成に必要な画像を過不足なく効率的に撮影することができるので、撮影時間が短縮による撮影工程の効率化が図られるとともに、撮影者が撮影内容や撮影順序を意識しておくことによる精神的負担も軽減される。
【００６６】
また、撮影指示内容を画像Spnとして表示するので、撮影内容を視覚的・直感的に把握することができ、撮影指示内容に応じた撮影におけるシャッターチャンスを逃してしまうような事態も回避できる。
【００６７】
さらに、テンプレート選択受付部１１において、複数のアルバムのテンプレートＴ1、Ｔ2、・・・、ＴMからの所望のテンプレートの選択を受け付けるので、アルバムの選択の範囲が広がり、よりユーザの嗜好に合ったアルバムの作成のための画像の撮影が可能になる。
【００６８】
上記の実施形態では、撮影指示情報取得部１２が、選択されたテンプレートＴM1中のすべての撮影指示画像Sp1、Sp2、・・・、SpNと撮影順序Seqを一括して取得するようにしているが、撮影が行われる毎に、撮影信号Ｓの受信の度に、次の撮影指示画像を順次取得するようにしてもよい。
【００６９】
また、上記の実施形態のテーブルでは、撮影順序を１つの独立した項目として構成しているが、この撮影順序の項目を設けず、撮影指示画像のＩＤが撮影順になるようにエントリを設定しておき、表示制御部１４が最初のエントリから順に撮影指示画像のＩＤを取得することによって、撮影順での撮影指示画像の切替えを実現してもよい。
【００７０】
さらに、上記実施形態のテーブルは、アルバム中の画像挿入領域の並び順と、対応する撮影指示画像による撮影の順序が一致しない場合にも柔軟に対応できるように構成されているが、両者が常に一致するようなアルバムのみに対応できればよいのであれば、上記の撮影順番の項目を設けず、アルバム中の画像挿入領域の並び順（＝撮影指示画像による撮影順）にエントリを設定しておき、表示制御部１４が最初のエントリから順に撮影指示画像のＩＤを取得することによって、撮影順での撮影指示画像の切替えを実現してもよい。
【００７１】
図７は、本発明の第２の実施形態となる、アルバム作成のための撮影支援装置を含む撮影システムの構成を機能的側面から模式的に表したものである。本実施形態の撮影システムのハードウェア構成は第１の実施形態（図１）と同様である。図に示したように、本実施形態の撮影支援ＰＣ１では、テンプレート選択受付部１１、撮影指示情報取得部１２、撮影画像受信部１５、表示切替制御部１６、適合度判定部１７、表示部３１によって、本発明の撮影支援装置の機能が実現される。一方、カメラ２は、撮影部２１と撮影画像送信部２３とによって、本発明の撮影支援装置との連携がなされる。
【００７２】
ここで、撮影支援ＰＣ１のテンプレート選択受付部１１、撮影指示情報取得部１２、表示部３１、および、カメラ２の撮影部２１は第１の実施形態と同様である。
【００７３】
カメラ２の撮影画像送信部２３は、撮影部２１で得られたデジタル変換後の撮影画像の画像データを取得し、撮影支援ＰＣ１に送信する処理を行う通信インターフェースである。なお、送信される画像データは、画質調整処理や圧縮処理の前のものであってもよいし、これらの処理の後のものであってもよい。なお、本実施形態では、カメラ２は、上記のようにデジタル画像データを生成する機能を有している必要がある。
【００７４】
撮影支援ＰＣ１の撮影画像受信部１５は、カメラ２の撮影画像送信部２３から送られてきた撮影画像を受信し、適合度判定部１７に送信する処理を行う通信インターフェースである。
【００７５】
適合度判定部１７は、撮影画像の画像データを入力として画像解析処理を行い、撮影画像が、撮影画像の受信の時点で表示されている撮影指示画像に適合するかどうかの判定を行い、判定結果（適合／不適合）を出力する。この画像解析処理は、例えば、撮影指示画像と撮影画像の間での画素値の相関を求める等、画像全体を用いてその都度処理を行ってもよいが、より高い精度で効率的に適合度の判定を行うためには、撮影指示画像毎に適合度の判定の条件（以下、適合条件）を予め定めておき、それに基づいて必要な画像解析処理を行うことが好ましい。
【００７６】
例えば、図８では、テンプレートＴM1の画像挿入領域Ｒ6に撮影指示画像Sp6が対応づけられている。この撮影指示画像Sp6は、並んでいる新郎と新婦の上半身という構図になっており、この構図を表す適合条件SC6は以下のように定めることができる。  
（１）画像のサイズがｘ方向（すなわち横方向）が９６０画素、ｙ方向（すなわち縦方向）が６４０画素である
（２）人物を２人含む
（３）２つの顔が並んでいる
（４）右側の人物の周囲が白
（５）２人の人物の間と画像の中心とが一致する
（６）左側の人物の顔が図８の領域Ａ１内に収まり、かつ右側の人物の顔が図８の領域Ａ２内に収まる
これらの条件を判定する画像解析処理は以下のようになる。  
（１）ｘ方向およびｙ方向の画素数のカウント、または、付帯情報から画像サイズの情報の取得後、各方向の画素数を判定する
（２）（６）指定された領域（Ａ１、Ａ２）内で円形の肌色領域の検出を行う
（３）（５）上記で検出された領域の位置関係を判定する
（４）上記で検出された領域のうち右側のものの周辺において白色の領域の検出を行う
また、上記の適合条件に加え、被写体に対する余白のサイズを含めたい場合には、例えば人物の顔の頭頂部から上の領域幅を規定するための画素数、並びに左右の耳のそれぞれから左側および右側の領域幅を指定するための画素数、あるいは人物の顔の大きさに対する余白の割合が条件に加えられる。さらに、Ｅｘｉｆタグ等の撮影画像の付帯情報を解析して撮影日時や撮影場所等の情報を適合条件の判定に利用することも考えられる。
【００７７】
なお、実装上は、顔検出、色検出、位置判定等、画像解析処理の内容別にサブプログラム化し、各適合条件に個別の具体的条件をパラメータとして各サブプログラムに引き渡すようにすれば汎用性が高まる。例えば、顔検出処理の場合は検出対象領域（Ａ１、Ａ２）や検出サイズ、色検出処理の場合は色の範囲（Ｒ、Ｇ、Ｂの各値の範囲）等を処理パラメータとすることができる。また、適合するかどうかの判定のための閾値もパラメータとすることができる。画像解析処理の他の具体例としては、AdaBoost等の機械学習手法を用いて得られた判別器を用いて、特定のオブジェクトの検出や、人物の性別・顔の向き・表情等の識別を行う処理等が挙げられる（特開2005-250775号公報等参照）。
【００７８】
表示切替制御部１６は、第１の実施形態と同様に、撮影指示画像と対応づけられた撮影順序を読み込み、適合度判定部１７で出力された判定結果に応じて、表示部３１に表示させる情報の切替えの制御を行う。具体的には、適合度判定部１７で適合と判定された場合には、読み込まれた撮影順序に基づき、次の撮影指示画像を表示部１５に表示させる制御を行う。一方、不適合と判定された場合には、再撮影を促すメッセージ画面を表示部１５に表示させる制御を行う。図９は、再撮影を促すメッセージ画面の一例である。
【００７９】
次に、この撮影システムを利用してアルバム用の写真画像の撮影を行う場合の操作および処理の流れについて、図７のブロック図および図１０のフローチャートを用いて説明する。
【００８０】
ユーザによるテンプレートＴM1の選択(#31)、撮影指示情報取得部１２による撮影指示画像Spn、撮影順序Seqの取得(#32)、撮影順序カウンタｉの初期化(#33)、１番目の撮影指示画像SpN1の表示(#34)、撮影者による撮影(#51)までは第１の実施形態のステップ#1から#5、#11と同様である。
【００８１】
カメラ２の撮影部２１において撮影動作によりデジタル画像データＩN1が生成されると、撮影画像送信部２３は、このデジタル画像データＩN1を取得し、撮影支援ＰＣ１に送信する(#52)。
【００８２】
撮影支援ＰＣ１の撮影画像受信部１５は、カメラ２の撮影画像送信部２３から送信されてきた画像データＩN1を受信し(#36; YES)、適合度判定部１７に引き渡す。
【００８３】
適合度判定部１７は、撮影画像ＩN1に対して画像解析処理を行い(#37)、１番目の撮影指示画像SpN1と撮影画像ＩN1との比較を行い、適合度を判定する(#38)。具体的には、撮影指示画像SpN1に関連づけられた適合条件SCN1に応じた画像解析処理を撮影画像ＩN1に対して行い、適合条件SCN1に適合するかどうかの判定を行う。
【００８４】
適合度判定部１７は、撮影画像ＩN1が、対応する撮影指示画像SpN1に適合すると判定した場合は(#38; OK)、その判定結果Ｒ(OK)を表示切替制御部１６に引き渡し、適合しないと判定した場合は(#38; NG)、その判定結果Ｒ(NG)を表示切替制御部１６に引き渡す。
【００８５】
表示切替制御部１６は、適合度判定部１７から判定結果Ｒ(OK)を受け取った場合には、カウンタｉを+1加算し(#39)、撮影順序２番目の撮影指示画像SpN2を取得する(#40、NO〜#34)。一方、適合度判定部１７から判定結果Ｒ(NG)を受け取った場合には、再撮影を促す通知メッセージ（図９）を表示部３１に表示させ(#41)、撮影支援ＰＣ１は、再度の撮影画像の受信待ちの状態になる(#36; NO)。以降、再撮影された画像が撮影指示画像SpN1に適合するまで(#38; OK)、再撮影(#51)、撮影画像の送信(#52)、撮影画像の受信(#36; YES)、画像解析(#37)、適合度の判定(#38)、再撮影の通知(#41)を繰り返し行う。
【００８６】
以下、上記と第１の実施形態と同様にして、撮影順序カウンタｉの値が撮影指示画像の枚数Ｎを超えるまで(#40; YES)、すなわち、すべての撮影指示画像の表示が終わるまで、カメラ１での撮影に応じて、撮影画像Ｉnと撮影指示画像Spnの適合度の判定を行い、判定結果に応じて、撮影順序Seqに基づいて撮影指示画像Spnを順次切り替えて表示部３１に表示する（または再撮影の通知メッセージを表示する）動作を繰り返し行う。
【００８７】
このように本発明の第２の実施形態となる撮影システムでは、撮影者によるカメラ２を用いた撮影操作に応じて撮影部２１による撮影処理が行われる毎に、適合度判定部１７が、撮影画像送信部２３、撮影画像受信部１５を経由して受信した撮影画像Ｉnに対して画像解析を行い、撮影画像Ｉnが表示部３１に表示されている、対応する撮影指示画像Spnの内容に適合するかどうかを判定し、適合しないと判定された場合には、再撮影を促す通知メッセージを表示部３１に表示させるので、撮影者はその通知に応じてその場で再撮影を行うことができるので、アルバム作成工程において挿入すべき適切な画像がない不都合が回避され、アルバムの品質や完成度の向上に資する。
【００８８】
上記の実施形態において、適合度の判定の際に、撮影指示画像との適合性だけでなく、撮影画像自体の適切性も判定するようにしてもよい。具体的には、撮影画像中のエッジの特徴量を利用した手法（特開2005-122721号公報参照）等により手ぶれやピンボケを検出すること等が考えられる。
【００８９】
図１１は、本発明の第３の実施形態となる、アルバム作成のための撮影支援装置を含む撮影システムの構成を機能的側面から模式的に表したものである。本実施形態の撮影システムのハードウェア構成は第１の実施形態（図１）と同様である。図に示したように、本実施形態の撮影支援ＰＣ１では、テンプレート選択受付部１１、撮影指示情報取得部１２、撮影画像受信部１５、表示切替制御部１６、全体判定部１８、部分判定部１９、表示部３１、画像記録部３２によって、本発明の撮影支援装置の機能が実現される。一方、カメラ２は、撮影部２１と撮影画像送信部２３とによって、本発明の撮影支援装置との連携がなされる。
【００９０】
ここで、撮影支援ＰＣ１のテンプレート選択受付部１１、撮影指示情報取得部１２、撮影画像受信部１５、表示切替制御部１６、表示部３１、および、カメラ２の撮影部２１、撮影画像送信部２３は第２の実施形態と同様である。また、全体判定部１８は適合度判定部１７と同様である。
【００９１】
部分判定部１９は、撮影画像の画像データを入力とし、撮影画像中に所定のサイズの小領域を設定して画像解析処理を行い、撮影画像中の小領域が、撮影画像の受信の時点で表示されている撮影指示画像に適合するかどうかの判定を行い、判定結果（適合／不適合）を出力するとともに、適合すると判定された場合には、その小領域に対するトリミング処理のための情報（編集情報）、すなわちその小領域の位置やサイズを特定する情報を出力する。なお、画像解析処理や適合度の判定処理の内容は全体判定部１８と同様であるが、例えば、全体判定部１８で行われた顔検出によって得られた顔領域の位置やサイズの情報等の画像解析処理の結果や、適合条件が複数の条件の集合からなる場合の個々の条件についての判定結果を利用できるように実装することが好ましい。
【００９２】
なお、表示切替制御部１６は、全体判定部１８と部分判定部１９両方による適合度の判定結果を入力とする点で第２の実施形態と異なっている。
【００９３】
画像記録部３２は、撮影画像受信部１５で受信された撮影画像を、撮影支援ＰＣ１のハードディスクや撮影支援ＰＣ１に装填されたＣＤ−Ｒやメモリスティック等の記録媒体に記録する処理を行う。ここで、部分判定部１９によって編集情報が出力されている場合には、この編集情報を撮影画像と関連づけて記録する。
【００９４】
次に、この撮影システムを利用してアルバム用の写真画像の撮影を行う場合の操作および処理の流れについて、図１１のブロック図および図１２のフローチャートを用いて説明する。
【００９５】
ユーザによるテンプレートＴM1の選択(#61)、撮影指示情報取得部１２による撮影指示画像Spn、撮影順序Seqの取得(#62)、撮影順序カウンタｉの初期化(#63)、１番目の撮影指示画像SpN1の表示(#64)、撮影者による撮影(#81)、撮影画像ＩN1の送信(#82)、撮影画像ＩN1の受信(#66; YES)までは第２の実施形態（図１０）の#31から#36、#51から#52と同様である。
【００９６】
全体判定部１８は、撮影画像ＩN1に対して画像解析処理を行い(#67)、１番目の撮影指示画像SpN1と撮影画像ＩN1全体との比較を行い、適合度を判定する(#68)。具体的には、撮影指示画像SpN1に関連づけられた適合条件SCN1に応じた画像解析処理を撮影画像ＩN1に対して行い、適合条件SCN1に適合するかどうかの判定を行う。
【００９７】
全体判定部１８は、撮影画像ＩN1全体が、対応する撮影指示画像SpN1に適合すると判定した場合は(#68; OK)、画像記録部３２に撮影画像ＩN1の記録を行わせるとともに、その結果Ｒ(OK)を表示切替制御部１６に引き渡す。適合しないと判定した場合は(#68; NG)、その結果Ｒ(NG)を部分判定部１９に引き渡す。
【００９８】
部分判定部１９は、撮影画像ＩN1中の小領域が１番目の撮影指示画像SpN1に関連づけられた適合条件SCN1に適合するかどうかの判定を行う(#72)。
【００９９】
部分判定部１９は、撮影画像ＩN1中の小領域が、対応する撮影指示画像SpN1に適合すると判定した場合は(#72; OK)、画像記録部３２に撮影画像ＩN1および上記小領域を特定する編集情報IEN1の記録を行わせるとともに、その結果Ｒ(OK)を表示切替制御部１６に引き渡す。適合しないと判定した場合は(#72; NG)、その結果Ｒ(NG)を表示切替制御部１６に引き渡す。
【０１００】
表示切替制御部１６は、全体判定部１８または部分判定部１９から結果Ｒ(OK)を受け取った場合には、カウンタｉを+1加算し(#70)、撮影順序２番目の撮影指示画像SpN2を取得する(#71、NO〜#64)。一方、部分判定部１９から結果Ｒ(NG)を受け取った場合には、再撮影を促す通知メッセージ（図９）を表示部３１に表示させ(#74)、撮影支援ＰＣ１は、再度の撮影画像の受信待ちの状態になる(#66; NO)。以降、再撮影された画像が撮影指示画像SpN1に適合するまで(#68または#72; OK)、再撮影(#81)、撮影画像の送信(#82)、撮影画像の受信(#66; YES)、画像解析(#67)、適合度の判定(#68または#72)、再撮影の通知(#74)を繰り返し行う。
【０１０１】
以下、上記と第２の実施形態と同様にして、撮影順序カウンタｉの値が撮影指示画像の枚数Ｎを超えるまで(#71; YES)、すなわち、すべての撮影指示画像の表示が終わるまで、カメラ１での撮影に応じて、撮影画像Ｉnと撮影指示画像Spnの適合度の判定を行い、判定結果に応じて、撮影順序Seqに基づいて撮影指示画像Spnを順次切り替えて表示部３１に表示する（または再撮影の通知メッセージを表示する）動作を繰り返し行う。
【０１０２】
図１３（ａ）の撮影画像ＩN1と図８の撮影指示画像Sp6との適合性を判定する場合を例にして、全体判定部１８と部分判定部１９の処理の流れの詳細について説明する。まず、全体判定部１８は、撮影画像ＩN1全体について撮影指示画像Sp6の適合条件SC6を満たしているかどうか判定を行う。この場合、撮影画像ＩN1は、適合条件（６）を満たさないので、全体判定部１８は不適合と判定し、部分判定部１９に判定結果Ｒ(NG)を引き渡す。部分判定部１９は、撮影画像ＩN1中に所定のサイズの小領域（図１３（ｂ）の破線部）を設定し、小領域のサイズを変えたり、位置を移動させたりしながら、各小領域のサイズ・位置において適合条件SC6を満たしているかどうか判定を行う。ここで、部分判定部１９は、この例の適合条件（１）のような画像のサイズに関する適合条件は無視するものとする。この例では、部分判定部１９は、小領域を図１３（ｂ）に破線で示した位置に設定した場合に、適合条件（２）から（６）を満たすと判定し、判定結果Ｒ(OK)を出力し、表示切替制御部１６に引き渡す。同時に、この小領域を特定する編集情報（位置、サイズ）IEN1を出力する。この編集情報IEN1は、アルバム作成段階における、対応する画像挿入領域（Ｒ6）にこの撮影画像ＩN1を挿入する際のトリミング位置の特定およびトリミングされた画像の拡大倍率の算出に用いられる。なお、この例では、小領域のサイズを設定する際に全体判定部１９における画像解析処理結果や各適合条件についての判定結果を利用するようにしてもよい。例えば、全体判定部１８において、撮影画像ＩN1から新郎と新婦の２つの顔が検出されるので、その顔のサイズを算出し、小領域の縦横比を撮影指示画像Sp6の縦横比と同じにし、撮影画像ＩN1中の小領域のサイズに対する撮影画像ＩN1中の顔領域のサイズの比率が、撮影指示画像Sp6における画像のサイズに対する撮影指示画像Sp6中の顔領域のサイズの比率と同じになるように、小領域の縦横比およびサイズを決定することが考えられる。さらに、小領域の設定位置も撮影画像ＩN1から検出された顔領域の位置を含むように設定することが考えられる。
【０１０３】
このように本発明の第３の実施形態となる撮影システムでは、撮影者によるカメラ２を用いた撮影操作に応じて撮影部２１による撮影処理が行われる毎に、全体判定部１８が、撮影画像送信部２３、撮影画像受信部１５を経由して受信した撮影画像Ｉn全体に対して画像解析を行い、撮影画像Ｉnが、表示部３１に表示されている、対応する撮影指示画像Spnの内容に適合するかどうかを判定し、適合しないと判定された場合には、部分判定部１９が、撮影画像Ｉn全体に対して画像解析を行い、撮影画像Ｉnの一部が撮影指示画像Spnの内容に適合するかどうかを判定する。したがって、撮影画像全体としては撮影指示画像の内容に適合していなくても、撮影画像の一部が撮影指示画像の内容に適合していれば再撮影を回避できるので、第２の実施形態で得られる効果を保ちつつ、撮影工程の効率化も図られる。
【０１０４】
また、撮影画像Ｉnの一部が撮影指示画像Spnの内容に適合する場合、画像記録部３２が、この一部を特定する編集情報IEN1と撮影画像ＩN1を関連づけて記録するので、この編集情報IEN1をアルバム作成に利用することにより、アルバム作成工程の効率化が図られる。
【０１０５】
上記実施形態では、撮影画像ＩN1中の小領域を編集情報IEN1として記録するようにしていたが、部分判定部１９がこの小領域を切り取るトリミング処理を行い、トリミング後の画像を画像記録部３２に記録させるようにしてもよいし、トリミング後の小領域を表す画像を撮影指示画像Sp6のサイズに拡大する処理を行い、拡大された画像を画像記録部３２に記録させるようにしてもよい。
【０１０６】
また、上記実施形態では、不適合と判定された画像は画像記録部３２によって記録されないように構成されているが、すべての撮影画像を記録し、不適合と判定された画像は削除対象のフラグを付けるなどしてマーキングを行うように構成してもよい。
【０１０７】
最後に、上記各実施形態で説明した撮影システムとアルバム作成装置を組み合わせた実施形態の一例を説明する。図１４は、本発明の第４の実施形態となるアルバム作成システムの構成を模式的に表したものである。図に示すように、上記各実施形態にアルバム作成ＰＣ４が付加され、撮影支援ＰＣ１と通信可能なように構成されている。
【０１０８】
撮影支援ＰＣ１とアルバム作成ＰＣ４との間の通信は、Ｅｔｈｅｒｎｅｔ（登録商標）や、ＵＳＢ、IEＥＥ１３９４等のインターフェースを用いた有線接続によるものであっても、無線ＬＡＮやＩｒＤＡ（赤外線通信）等の無線通信によるものであってもよい。
【０１０９】
アルバム作成ＰＣ４は、キーボードやマウス等の入力デバイスやディスプレイを含む公知のパーソナルコンピュータであって、上記通信のためのインターフェースを備えたものである。このアルバム作成ＰＣ４には、コンピュータを本発明のアルバム作成手段として機能させるための各種プログラムが、ＣＤ−ＲＯＭ等のコンピュータが読取可能な記録媒体から、あるいは、インターネット等に接続された他のサイトからダウンロードされ、インストールされている。
【０１１０】
図１５は、このアルバム作成システムの構成を機能的側面から模式的に表したブロック図である。図に示すように、撮影支援ＰＣ１は、本発明の第３の実施形態にアルバムデータ送信部３３が付加された構成となっており、アルバム作成ＰＣ４は、アルバムデータ受信部４１とアルバム作成部４２とから構成されている。なお、カメラ２は、第３の実施形態と同じである。以下、第３の実施形態との相違点について説明する。
【０１１１】
撮影支援ＰＣ１のアルバムデータ送信部３３は、画像記録部３２によってハードディスク等の記録媒体に記録された撮影画像（以下、記録画像）や編集情報、および、選択されたテンプレートを識別する情報をアルバムデータとしてアルバム作成ＰＣ４に送信する処理を行う通信インターフェースである。
【０１１２】
なお、撮影支援ＰＣ１の画像記録部３２は、撮影画像や編集情報をテンプレート（撮影指示情報）として与えられた撮影順序が特定できるように記録するものとする。具体的には、各画像の付帯情報にその画像の撮影順序を記録しておくことや、より単純に、各画像に撮影順序を含むファイル名（例えば、撮影順序ｎ番目のファイルはABC12345_n.jpg）をつけておくことが考えられる。
【０１１３】
アルバム作成ＰＣ４のアルバムデータ受信部４１は、撮影支援ＰＣ１のアルバムデータ送信部３３から送信されてきたアルバムデータを受信し、アルバム作成部４２に送信する処理を行う通信インターフェースである。
【０１１４】
アルバム作成部４２は、テンプレートを識別する情報に基づいて、アルバム作成ＰＣ４のハードディスクに記憶されているアルバム作成のためのテンプレートを取得し、取得されたテンプレートの各画像挿入領域に対応する記録画像を取得し、各画像挿入領域に関連づけられた編集情報および記録画像に関連づけられた編集情報に応じた画像の編集・加工処理を行い、処理済の画像を、対応する画像挿入領域に挿入することによってアルバムを作成する。なお、このアルバムは、電子データとして出力されたものであってもよいし、台紙にプリント出力されたものであってもよい。
【０１１５】
次に、このアルバム作成システムを利用してアルバムの作成を行う場合の操作および処理の流れについて、図１５のブロック図および図１６のフローチャートを用いて説明する。図に示したように、撮影支援ＰＣ１で行われるステップ#91から#104、および、カメラ２で行われるステップ#111から#112は、第３の実施形態と同様である。すなわち、第３の実施形態と同様にして、選択されたテンプレートＴM1の撮影指示画像Spnおよび撮影順序Seqに応じて撮影が行われ、撮影指示画像Spnに適合した撮影画像Ｉnと、必要に応じて編集情報IEnが得られ、画像記録部３２に記録される。
【０１１６】
すべての撮影指示画像に応じた撮影画像等が記録された後(#101; YES)、アルバムデータ送信部３３は、撮影画像（記録画像）Ｉn、編集情報IEn、および、選択されたテンプレートＴM1を識別する情報（テンプレートＩＤ）からなるアルバムデータをアルバム作成ＰＣ４に送信する(#105)。
【０１１７】
アルバム作成ＰＣ４のアルバムデータ受信部４１は、アルバムデータを受信し(#121)、アルバム作成部４２に引き渡す。
【０１１８】
アルバム作成部４２は、アルバムデータ中のテンプレートＩＤに対応するアルバムテンプレートＴM1を読み込み、読み込まれたテンプレートＴM1中の各画像挿入領域に、対応する記録画像を適宜編集・加工して挿入し、アルバムＡ0を作成する(#122)。
【０１１９】
図１７は、このアルバム作成処理の一例を模式的に表したものである。図のテンプレートＴM1は、図３と同じであり、このテンプレートＴM1には画像挿入領域Ｒ1からＲ3が含まれ、画像挿入領域Ｒ1とＲ2には、各々、編集情報ＲＥ1およびＲＥ2が関連づけられている。また、画像挿入領域ｒ3のように編集情報を含まない領域が存在していてもよい。一方、図３で説明したように、各画像挿入領域Ｒ1、Ｒ2、Ｒ3には、各々、撮影順序３番、１番、２番が関連づけられている。アルバム作成部４２は、テンプレートＩＤに基づいてこのテンプレートＴM1を取得し、画像挿入領域Ｒ1に関連づけられた撮影順序３番に基づいて、アルバムデータから撮影順序３番と関連づけられた記録画像を取得し、編集情報ＲＥ1に基づいて、フレームＩＤ＝「001」のフレームを付加し、テキスト「よろしくお願いします。」を所定の位置に所定のフォントで付加する処理を行い、処理済の画像を画像挿入領域Ｒ1に挿入する。同様に、画像挿入領域Ｒ2には、撮影順番１の記録画像を編集情報ＲＥ2に基づいてセピア化し、処理済の画像を挿入し、画像挿入領域Ｒ3には、撮影順番２番の記録画像を挿入する。なお、第１の実施形態において図５を用いて説明したように、１つの画像挿入領域に複数の撮影指示画像が関連づけられ、その結果、複数の記録画像が対応する場合には、それらの記録画像を合成する処理がここで行われる。合成処理の条件（各画像のトリミング位置や拡大縮小倍率、その他の画質調整、編集加工処理）は編集情報としてその画像挿入領域に関連づけておけばよい。また、第３の実施形態において図８と図１３を用いて説明したように、記録画像に編集情報が関連づけられている場合には、その編集情報に基づく処理もここで行う。
【０１２０】
このように本発明の第４の実施形態となるアルバム作成システムでは、上記各実施形態と同様にして撮影支援ＰＣ１とカメラ２との連携によって、撮影指示画像に応じた撮影を行うことによって得られた撮影画像ＩNを、撮影支援ＰＣ１の画像記録部３２が、選択されたテンプレートＴM1に関連づけられた撮影順序Seqと関連づけて記録し、アルバム作成ＰＣ４のアルバム作成部４２が、アルバムデータ送信部３３、アルバムデータ受信部４１を経由して受信したアルバムデータに基づいて、アルバムテンプレートＴM1を取得し、テンプレートＴM1に関連づけられた撮影順序Seqに基づいて、各画像挿入領域Ｒnに、対応する記録画像Ｉnを挿入することによってアルバムＡ0を作成するので、各画像挿入領域に挿入すべき画像を複数の画像から選択する必要がなくなり、アルバム作成工程の効率化も図られる。
【０１２１】
上記の実施形態では、各画像挿入領域には１パターンの撮影指示内容のみが関連づけられるようにしていたが、複数パターンの撮影指示内容を関連づけ、それらのいずれかを満たす画像の撮影が行われればよいように構成することも可能である。この場合、撮影支援ＰＣ１に表示される撮影指示画像は、上記複数パターンの各々を表す撮影指示画像のうちの１つであってもよいし、各パターンを一覧表示したり、切替表示したりするようにしてもよい。例えば、第３、第４の実施形態において、図１８（ａ）の画像挿入領域Ｒ8には、図１８（ｂ）のSp7、Sp8、Sp9の３種類の撮影指示画像のいずれかに適合する画像が得られればよいとし、Sp7、Sp8、Sp9の順に撮影指示内容の優先度が高いとする。撮影によって図１８（ｃ）のＩN2が得られたとすると、全体判定部１８は撮影画像ＩN2が撮影指示画像Sp7、Sp8には適合せず、Sp9には適合すると判定する。ここで、優先度の高い撮影指示画像Sp7、Sp8に対しては不適合と判定されているので、部分判定部１９による判定も行わせるようにすると、部分判定部１９は、撮影画像ＩN2の一部が撮影指示画像Sp8に適合すると判定する。この場合、さらに最終的な判定を行う最終判定部を設け、より優先度の高い撮影指示画像Sp8に適合するという部分判定部１９による判定結果を優先し、撮影画像ＩN2と上記一部を特定する編集情報を関連づけて画像記録部３２に記録させるようにすることができる。さらに、画像の拡大処理による画質劣化を考慮して所定の閾値となる拡大倍率を超える拡大が必要な場合には優先度を下げるようにしてもよい。上記の例では、撮影画像ＩN2の一部が撮影指示画像Sp8に適合させる際の拡大倍率が所定の閾値を超えると判定して優先度を下げ、最終的に、撮影画像ＩN2全体が撮影指示画像Sp9に適合するという全体判定部１８の判定結果に確定させることもできる。また、上記の最終的な判定をアルバム作成時にアルバム作成部４２が行うようにしてもよい。
【０１２２】
なお、上記の説明の他、各実施形態におけるシステム構成、処理フロー、ユーザインターフェース等に対して、本発明の趣旨から逸脱しない範囲で様々な改変を行ったものも、本発明の技術的範囲に含まれる。また、上記の各実施形態はあくまでも例示であり、上記のすべての説明が本発明の技術的範囲を限定的に解釈するために利用されるべきものではない。
【０１２３】
例えば、アルバムのテーマやイベントについては、上記実施形態のウェディングアルバム以外にも、特定のコースを巡る旅行のアルバム等も考えられる。
【０１２４】
また、システム構成についても、上記の実施形態において、テンプレートの選択を撮影支援ＰＣ１で行わないような形態も考えられる。例えば、アルバム作成を請け負う業者がアルバム作成を受注する注文受付サーバと顧客のＰＣをインターネット等の広域的な公衆ネットワークに接続しておき、顧客が自らのＰＣで注文受付サーバによって提供されるウェブページにアクセスして、アルバム作成の発注を行う際に、所望のテンプレートの選択を行う形態が考えられる。この場合、テンプレート選択受付部は、注文受付サーバ上に実装されることになり、選択されたテンプレートを識別する情報またはテンプレートそのものが、注文受付サーバから上記のネットワーク経由で撮影支援ＰＣ１に提供される形態が考えられる。あるいは、選択されたテンプレートを記録媒体に記録し、その記録媒体経由で撮影支援ＰＣ１に提供される形態も考えられる。
【０１２５】
さらに、上記実施形態において、撮影支援ＰＣ１とアルバム作成ＰＣ４との間でのアルバムデータの送受信をネットワーク通信で行わずに、ＣＤ−Ｒやメモリスティック等の記録媒体経由で行うことも考えられる。
【０１２６】
さらに、撮影支援ＰＣ１とアルバム作成ＰＣ４を１つのＰＣに実装し、両ＰＣ間でのアルバムデータのやり取りを不要にしたり、上記の撮影支援ＰＣ１の各機能をカメラ２に実装し、撮影指示画像をカメラの液晶ディスプレイに表示するようにしたりすることも考えられる。
【図面の簡単な説明】
【０１２７】
【図１】本発明の第１、第２、第３の実施形態となる撮影システムのハードウェア構成を模式的に表した図
【図２】本発明の第１の実施形態となる撮影システムの機能とデータの流れを模式的に表したブロック図
【図３】アルバムテンプレートの構成例を示す図（（ａ）テンプレートと画像挿入領域  （ｂ）撮影指示画像  （ｃ）画像挿入領域と撮影指示画像と撮影順序の管理テーブル）
【図４】撮影指示画像の他の例を示す図
【図５】１つの画像挿入領域に対して複数の撮影指示画像が関連づけられる場合を示す図（（ａ）画像挿入領域とそこに挿入されるべき画像の例  （ｂ）撮影指示画像  （ｃ））画像挿入領域と撮影指示画像と撮影順序の管理テーブル）
【図６】本発明の第１の実施形態における操作と処理の流れを示すフローチャート
【図７】本発明の第２の実施形態となる撮影システムの機能とデータの流れを模式的に表したブロック図
【図８】本発明の第２の実施形態における画像挿入領域と撮影指示画像と適合条件の関連づけを模式的に表した図
【図９】再撮影を促すメッセージの一例を表す図
【図１０】本発明の第２の実施形態における操作と処理の流れを示すフローチャート
【図１１】本発明の第３の実施形態となる撮影システムの機能とデータの流れを模式的に表したブロック図
【図１２】本発明の第３の実施形態における操作と処理の流れを示すフローチャート
【図１３】本発明の全体判定部と部分判定部による処理を説明するための図（（ａ）撮影画像の一例  （ｂ）撮影画像中に設定された小領域）
【図１４】本発明の第４の実施形態となる撮影システムのハードウェア構成を模式的に表した図
【図１５】本発明の第４の実施形態となる撮影システムの機能とデータの流れを模式的に表したブロック図
【図１６】本発明の第４の実施形態における操作と処理の流れを示すフローチャート
【図１７】アルバムテンプレート中の画像挿入領域と編集情報と撮影順序の関連づけ、および、記録画像の一例を模式的に表す図
【図１８】画像挿入領域と撮影指示画像の対応づけ、および、撮影画像の他の一例を表す図（（ａ）画像挿入領域  （ｂ）撮影指示画像  （ｃ）撮影画像）
【符号の説明】
【０１２８】
１  撮影支援ＰＣ
２  カメラ
４  アルバム作成ＰＣ
１１  テンプレート選択部
１２  撮影指示情報取得部
１３  撮影信号受信部
１４  表示制御部
１５  撮影画像受信部
１６  表示切替制御部
１７  適合度判定部
１８  全体判定部
１９  部分判定部
２１  撮影部
２２  撮影信号送信部
２３  撮影画像送信部
３１  表示部
３２  画像記録部
３３  アルバムデータ送信部
４１  アルバムデータ受信部
４２  アルバム作成部
【図１】
2008252494.tif 000003
【図２】
2008252494.tif 000004
【図３】
2008252494.tif 000005
【図４】
2008252494.tif 000006
【図５】
2008252494.tif 000007
【図６】
2008252494.tif 000008
【図７】
2008252494.tif 000009
【図８】
2008252494.tif 000010
【図９】
2008252494.tif 000011
【図１０】
2008252494.tif 000012
【図１１】
2008252494.tif 000013
【図１２】
2008252494.tif 000014
【図１３】
2008252494.tif 000015
【図１４】
2008252494.tif 000016
【図１５】
2008252494.tif 000017
【図１６】
2008252494.tif 000018
【図１７】
2008252494.tif 000019
【図１８】
2008252494.tif 000020